(57)【特許請求の範囲】
【請求項１】
箱状をなす収容体と、
該収容体を閉じる閉位置と、該収容体を開く開位置と、該閉位置と該開位置との間の半開ロック開始位置と、の間で回動するリッドと、
該リッドに接続され、該リッドの回動速度を減速するダンパと、を持ち、
該収容体と該リッドとの一方は、金属製のバネからなる弾接部を持ち、
該収容体と該リッドとの他方は、該リッドの回動軸を中心とする円の周方向に延びる摺接面を持ち、
該弾接部および該摺接面は、該リッドの回動軸から離れた位置に配置され、
該リッドが該半開ロック開始位置と該開位置との間の領域にあるときに、該弾接部が該摺接面に弾接し該弾接部と該摺接面とが摩擦係合することで該リッドを一時固定することを特徴とする車両用コンソールボックス。
【請求項２】
前記収容体と前記リッドとの前記他方は、前記リッドの回動軸を中心とする円の周方向に延びる前記摺接面および不干渉面を持ち、
該不干渉面は、前記リッドが前記閉位置と前記半開ロック開始位置との間に位置しているときに、前記弾接部に対面しかつ前記弾接部に当接せず、
前記摺接面は、前記リッドが前記半開ロック開始位置と前記開位置との間に位置している時に、前記弾接部に対面しかつ前記弾接部と摩擦係合する、請求項１に記載の車両用コンソールボックス。
【請求項３】
前記弾接部は板バネである請求項１または請求項２に記載の車両用コンソールボックス。
【請求項４】
前記板バネは、炭素系、シリコンマンガン系、マンガンクロム系、クロムバナジウム系から選ばれる少なくとも１種のばね鋼を材料とする、請求項３に記載の車両用コンソールボックス。
【請求項５】
前記リッドは、前記閉位置において前記収容体を閉じるリッド本体部と、前記リッド本体部から延び前記収容体に枢支されるリッド脚部と、を持ち、
前記リッド脚部は前記収容体よりも高剛性であり、
前記摺接面は該リッド脚部に設けられている請求項１〜請求項４の何れか一つに記載の車両用コンソールボックス。
【発明の詳細な説明】
【技術分野】
【０００１】
本発明はリッドを持つ収容装置に関する。
【背景技術】
【０００２】
車両用コンソールボックス等の収容装置は、小物等を収容するための収容体と、収容体を開閉するリッドと、を持つ。リッドによる収容体の開閉機構の一つとして、リッドの回動により収容体を開閉する機構が知られている。この種の開閉機構を回動型の開閉機構と呼ぶ。具体的には、リッドは収容体に回動可能に枢支され、回動軸を中心として収容体を閉じる閉位置と、収容体を開く開位置との間を回動する。一般に収容体は上方に開口するため、回動型の開閉機構によると、開位置に配置されたリッドは収容体の上側に大きく張り出す。そしてこのときリッドは、自重により、開位置から閉位置に回動しようとする。このため一般的な収容装置には、乗員が収容体に物品を出し入れし易いように、リッドを開位置および閉位置で一時固定するロック手段が設けられている（例えば、特許文献１参照）。
【０００３】
ところで、上述したように、回動式の開閉機構をもつ収容装置では、開位置においてリッドは収容体の上側に大きく張り出す。例えば車両用コンソールボックス等、狭い空間に配設する収容装置であれば、リッドが大きく張り出すと乗員が不自由する場合がある。収容体に収容する物品が小型であれば、リッドを開位置にまで回動させなくても（リッドを全開しなくても）収容体に物品を出し入れできる。つまり、リッドを開位置と閉位置との間の位置（半開位置）で一時固定できれば、リッドの張り出し量を低減しつつ収容体に物品を出し入れできる。
【０００４】
特許文献２には、リッドの回動軸に複数のワッシャーを取り付け、この複数のワッシャーによってリッドを半開位置に一時固定する技術が開示されている。特許文献２に開示されている技術によると、リッドを半開位置に安定して一時固定することができる。また、リッドを半開位置に一時固定するための複数のワッシャーは、リッドの回動軸に取り付けられているので、嵩張らない。しかしその一方で、この開閉機構は部品点数が多く、収容装置を安価に製造し難い問題があった。
【先行技術文献】
【特許文献】
【０００５】
【特許文献１】特開２００８−２８５１００号公報
【特許文献２】特開２０１０−１７５０００号公報
【発明の概要】
【発明が解決しようとする課題】
【０００６】
本発明は上記事情に鑑みてなされたものであり、回動型の開閉機構を備え、リッドを半開位置で一時固定でき、かつ、部品点数の少ない収容装置を提供することを目的とする。
【課題を解決するための手段】
【０００７】
上記課題を解決する本発明の収容装置は、箱状をなす収容体と、該収容体を閉じる閉位置と、該収容体を開く開位置と、の間で回動するリッドと、を持つ収容装置であって、
該収容体と該リッドとの一方は、弾性体からなる弾接部を持ち、
該収容体と該リッドとの他方は、該リッドの回動軸を中心とする円の周方向に延びる摺接面を持ち、
該リッドが該閉位置と該開位置との間の少なくとも一部の領域にあるときに、該弾接部が該摺接面に弾接し該弾接部と該摺接面とが摩擦係合することで該リッドを一時固定することを特徴とする。
【発明の効果】
【０００８】
本発明の収容装置は、リッドを半開位置に一時固定するための構造を持つ。以下、リッドを半開位置に一時固定するための構造を、半開ロック手段と呼ぶ。また、リッドを半開位置に一時固定することを半開ロックと呼ぶ。本発明の収容装置において、半開ロック手段は、弾接部と摺接面とからなり、弾接部が摺接面に摩擦係合することでリッドを半開ロックする。摺接面はリッドの回動軸を中心とする円の周方向に延びているために、リッドが開位置と閉位置との間の少なくとも一部の領域にあるときに、弾接部と摺接面とが摩擦係合可能である。つまり、本発明の収容装置によると、開位置と閉位置との間の少なくとも一部の領域において、リッドを無段階的に一時固定できる。
【０００９】
本発明の収容装置によると、半開ロック手段を弾接部と摺接面とで構成し、単純な構造にしたことで、半開ロック手段に多数の部品を必要しない。このため本発明の収容装置は安価に製造できる。また、本発明の収容装置によると、半開ロック手段をリッドの回動軸から離して配置したことで、小さな力でリッドを一時固定でき、かつ、所望する回動角でリッドを信頼性高く一時固定できる。
【００１０】
また、半開ロック手段をリッドの回動軸近傍に配置する場合には、弾接部と摺接面との相対的な位置を精度高く位置合わせしなければ、リッドを望み通りの角度で一時固定し難い。しかし本発明の収容装置においては、望み通りの角度でリッドを一時固定し易い。つまり、弾接部および摺接面がリッドの回転軸近傍にあれば、弾接部と摺接面とを摩擦係合させリッドを半開ロックする際に、弾接部と摺接面とが互いに滑ると、滑った距離に対してリッドは大きく回動する。しかし弾接部および摺接面がリッドの回転軸から離れていれば、弾接部と摺接面とを摩擦係合させる時に弾接部と摺接面とが互いに多少滑っても、滑った距離に対するリッドの回動角は小さい。このため本発明の収容装置は、リッドを望み通りの角度に一時固定でき、かつ容易に製造できる。
【図面の簡単な説明】
【００１１】
【図１】実施例１の収容装置を模式的に表す分解斜視図である。
【図２】リッドが閉位置に配置された実施例１の収容装置を模式的に表す側面図である。
【図３】リッドが半開ロック開始位置に配置された実施例１の収容装置を模式的に表す側面図である。
【図４】リッドが半開位置に配置された実施例１の収容装置を模式的に表す側面図である。
【図５】リッドが開位置に配置された実施例１の収容装置を模式的に表す側面図である。
【図６】リッドが閉位置に配置された実施例２の収容装置を模式的に表す側面図である。
【図７】リッドが半開位置に配置された実施例２の収容装置を模式的に表す側面図である。
【図８】リッドが開位置に配置された実施例２の収容装置を模式的に表す側面図である。
【発明を実施するための形態】
【００１２】
本発明の収容装置は、車両用のコンソールボックスや小物入れ等、狭い空間に配設される収容装置として好ましく使用できる。
【実施例】
【００１３】
以下、本発明の収容装置を具体的に説明する。
【００１４】
（実施例１）
実施例１の収容装置を模式的表す分解斜視図を図１に示す。実施例１の収容装置が動作している様子を模式的に表す側面図を図２〜図５に示す。詳しくは、図２はリッドが閉位置に配置されている様子を示し、図３および図４はリッドが半開位置に配置されている様子を示し、図５はリッドが開位置に配置されている様子を示す。なお図３はリッドが後述する半開ロック開始位置に配置されている様子を示す。また、図２〜図５は実施例１の収容装置を図１中左側から見た様子を示す。以下、上、下、左、右、前、後とは図１に示す上、下、左、右、前、後を指す。
【００１５】
図１に示すように、実施例１の収容装置は、収容体１とリッド５とを持つ。収容体１はアクリロニトリルーブタジエンースチレン共重合合成樹脂（ＡＢＳ樹脂）製であり、収容本体部２と枢支部３とを持つ。収容本体部２は上方に開口する箱状をなす。収容本体部２の側壁２０の後面２１には、摺接面２２が形成されている。具体的には、収容本体部２の側壁２０の後面２１には、下から上に向けて、不干渉面２３、導入面２４、摺接面２２および第１開ロック面２５が形成されている。収容本体部２の前側上部分には、図略の第１閉ロック部が設けられている。第１閉ロック部は後述するリッド５の第２閉ロック部７０と嵌合する。
【００１６】
枢支部３は、収容本体部２とは別体で形成され収容本体部２の後端に一体化されている。枢支部３は、略枠状をなす枢支基体部３０、回動軸３１、２つの外筒３２、２つの開付勢手段３３、ストッパ３４およびダンパ３５を持つ。回動軸３１の外側には２つの外筒３２が装着されている。各々の外筒３２の外側には、それぞれ開付勢手段３３が装着されている。開付勢手段３３は金属製の巻きバネからなる。開付勢手段３３の一端は収容体１に固定され、他端はリッド５に固定されている。後述するリッド５を閉位置に配置すると開付勢手段３３は圧縮されて付勢力を蓄積する。
【００１７】
回動軸３１は、枢支基体部３０に設けられている２つの第１軸孔３９に挿通されている。回動軸３１の一端部には、回動軸３１の抜け止めのため、略Ｃリング状をなすストッパ３４が取り付けられている。枢支基体部３０にはダンパ３５が取り付けられている。ダンパ３５は後述するギヤ部６４と噛合している。
【００１８】
リッド５は、上側分体５０、下側分体６０、第２閉ロック部７０および弾接部７１を持つ。上側分体５０は略板状をなす。下側分体６０は略板状をなすベース部６１と、ベース部６１の左後端部および右後端部に一つずつ一体化されているリッド脚部６２からなる。上側分体５０と下側分体６０とは別体で形成され、組み立てられて一体化されている。上側分体５０とベース部６１とで構成される略板状の部分が本発明におけるリッド本体部６５に相当する。下側分体６０はガラス繊維入りのナイロン樹脂からなる。
【００１９】
各リッド脚部６２には、左右に開口する貫通孔状の第２軸孔６３が設けられている。リッド脚部６２には、さらに、ダンパ３５と噛合するギヤ部６４が設けられている。ギヤ部６４はリッド５に一体化されているためリッド５と一体に回転する。つまりギヤ部６４の回転中心は第２軸孔６３である。第２閉ロック部７０はリッド本体部６５に取り付けられている。第２閉ロック部７０は収容本体部２の第１閉ロック部と嵌合し、リッド５を閉位置に一時固定する。弾接部７１は金属製の板バネからなる。弾接部７１の略中央部分には凸状をなす凸部７２が形成されている。図２〜図５に示すように、弾接部７１は、凸部７２を回動軸３１を中心とする円の径方向外側に向けて、リッド脚部６２の側面に固定されている。
【００２０】
リッド５は回動軸３１を中心として、図２に示す閉位置と図５に示す開位置との間を回動する。図２に示すように、リッド５が閉位置に配置すると、リッド本体部６５が収容本体部２の上方に配置され、収容体１を閉じる。このとき第２閉ロック部７０と図略の第１閉ロック部とが嵌合し、リッド５を閉位置に一時固定する。なお、上述したように、このとき開付勢手段３３には付勢力が蓄積されている。
【００２１】
ユーザーが第２閉ロック部７０を操作すると、第１閉ロック部と第２閉ロック部７０との嵌合が解除される。すると、開付勢手段３３に蓄積された付勢力によってリッド５は開位置から図３に示す半開ロック開始位置にまで回動する。リッド５のギヤ部６４はダンパ３５と噛合し、このときのリッド５の回動速度が適正な早さとなるよう制御されている。なお、リッド５が閉位置と半開ロック開始位置との間に位置している時には、リッド５の弾接部７１は収容本体部２の不干渉面２３に対面している。したがって、このとき弾接部７１は収容体１に当接しない。
【００２２】
不干渉面２３とリッド５の回動軸３１との距離は、回動軸３１と凸部７２との距離よりも長い。このため、不干渉面２３と弾接部７１とが対面している間、つまり、リッド５が図２に示す閉位置から図３に示す半開ロック開始位置に達するまでの間、不干渉面２３はリッド５の弾接部７１に当接せず、リッド５は収容本体部２に干渉されず回動する。なお、収容本体部２の摺接面２２は、不干渉面２３よりも上側に配置され、リッド５の回動軸３１と摺接面２２との距離は、回動軸３１と凸部７２との距離よりもやや短い。導入面２４は不干渉面２３と摺接面２２とを滑らかに接続する面である。第１開ロック面２５は、リッド５が図５に示す開位置に配置されたときに、リッド脚部６２に設けられている第２開ロック面６６と係止する。
【００２３】
リッド５が図３に示す半開ロック開始位置にまで回動すると、弾接部７１が収容体１の導入面２４に当接する。さらにリッド５が回動すると、図４に示すように、弾接部７１は摺接面２２に弾接し、弾接部７１と摺接面２２とが摩擦係合する。実施例１の収容装置において、摺接面２２は、リッド５が半開ロック開始位置を超えて開位置に至るまでの間、弾接部７１と摩擦係合するように設けられている。このためリッド５は、半開ロック開始位置を超えて開位置に至るまでの間、無段階的に一時固定される。
【００２４】
リッド５が図５に示す開位置に配置されると、リッド脚部６２の第２開ロック面６６が収容本体部２の第１開ロック面２５に係止して、リッド５が開位置に一時固定される。
【００２５】
実施例１の収容装置における半開ロック手段は、弾接部７１と摺接面２２とからなり非常に単純な構成である。このため、実施例１の収容装置における半開ロック手段の部品点数は少なく、実施例１の収容装置は容易且つ安価に製造できる。
【００２６】
また、実施例１の収容装置における弾接部７１および摺接面２２は、リッド５の回動軸３１から離れた位置に配置されている。このため、半開ロックの際のリッド５の回動角度が比較的小さくても、弾接部７１と摺接面２２とが摺接する距離は比較的大きい。このため、弾接部７１および摺接面２２はリッド５を精度高く半開ロックできる。また、弾接部７１および摺接面２２はリッド５の回動軸３１を中心とする円の径方向外側に位置するため、比較的小さな力でリッド５を半開ロックできる。
【００２７】
なお、実施例１の収容装置において、弾接部７１は金属製の板バネからなるが、弾接部７１は弾性材からなれば良く、例えばゴム等であっても良い。耐久性および動作の安定性を考慮すると弾接部７１は金属製のバネからなるのが好ましく、特に、炭素系、シリコンマンガン系、マンガンクロム系、クロムバナジウム系等のばね鋼を材料とする板バネからなるのが望ましい。
【００２８】
摺接面２２は、回動軸３１と弾接部７１との位置関係や、弾接部７１による押圧力等に応じて適宜設計すれば良い。例えば、実施例１の収容装置のように、収容本体部２の側壁２０の後面２１に設けても良いし、側壁２０の側面（図１に示す側壁２０の左右面）に設けても良い。或いは、リッド脚部６２の外周面（回動軸３１を中心とする円の周方向に延びる端面）に設けても良いし、リッド脚部６２の側面（図１に示すリッド脚部６２の左右面）に設けても良い。なお摺接面２２は、収容本体部２の側壁２０の後面２１またはリッド脚部６２の外周面に設けるのが好ましい。これらの面に摺接面２２を設けることで、回動軸３１から摺接面２２までの距離を大きくでき、より小さな力で安定してリッド５を一時固定できる利点がある。
【００２９】
摺接面２２は平滑面であっても良いし、凹凸を有する粗面であっても良く、弾接部７１の押圧力やリッド５の質量、リッド５の大きさ等に応じて適宜設計すれば良い。リッド５の開閉操作感を考慮すると摺接面２２は平滑面であるのが好ましく、弾接部７１と摩擦係合することを考慮すると摺接面２２は粗面であるのが好ましい。
【００３０】
摺接面２２はリッド５と収容体１とのどちらに設けても良いし、弾接部７１もまた同様であるが、耐久性を考慮すると摺接面２２は剛性の高い部材に設けるのが好ましい。リッド５には乗員からの荷重が加わる場合があるため、一般にリッド５は収容体１に比べて剛性が高くなるように設計される。実施例の収容装置におけるリッド５の下側分体６０はガラス繊維入りのナイロン樹脂製（所謂ＦＲＰ製、繊維強化樹脂製）であり、ＡＢＳ製の収容本体部２に比べて高剛性である。このようにリッド５が高剛性である場合、耐久性を考慮すると、摺接面２２はリッド５に設けるのが好ましい。
【００３１】
なお、収容装置を軽量化するためには、リッド５や収容体１は樹脂等の比較的軽量な材料で構成するのが好ましい。これに対して、上述したように弾接部７１は金属製であるのが好ましい。このため弾接部７１は、リッド５および収容体１とは別体で形成した後に、リッド５または収容体１に組み付ける場合がある。この場合、組み付け作業性を考慮すると、弾接部７１は小型の部材に組み付けるのが好ましい。一般に、リッド５は収容体１に比べて小型であるために、組み付け作業を考慮すると弾接部７１はリッド５に設けるのが好ましい。
【００３２】
（実施例２）
実施例２の収容装置は、摺接面２２がリッド脚部６２に設けられ、弾接部７１が収容体１に設けられていること以外は、実施例１の収容装置とほぼ同じである。実施例２の収容装置が動作している様子を模式的に表す側面図を図６〜図８に示す。詳しくは、図６はリッド５が閉位置に配置されている様子を示し、図７はリッド５が半開位置に配置されている様子を示し、図８はリッド５が開位置に配置されている様子を示す。
【００３３】
実施例２の収容装置において、弾接部７１は収容本体部２の側壁２０の後面２１に固定され、凸部７２を後方に向けている。摺接面２２はリッド脚部６２の外周面に設けられている。具体的には、リッド脚部６２には、リッド５の回動軸３１を中心とする円の周方向に延びる２つの外周面が設けられている。２つの外周面の一方は摺接面２２であり、他方は不干渉面２３である。回動軸３１から摺接面２２までの距離は、回動軸３１から不干渉面２３までの距離よりも長い。このため図６に示す閉位置から図７に示す半開位置に至るまでの間、不干渉面２３は弾接部７１に当接しない。摺接面２２と不干渉面２３との間には回動軸３１を中心とする円の径方向に延びる第２開ロック面６６が設けられている。さらに、第２開ロック面６６と摺接面２２とは導入面２４によって滑らかに接続されている。
【００３４】
実施例２の収容装置におけるリッド５は、図６に示す閉位置と、図８に示す開位置との間を回動する。閉位置においては、第２閉ロック部７０と図略の第１閉ロック部との嵌合により、リッド５は一時固定される。第２閉ロック部７０と第１閉ロック部との嵌合を解除すると、図略の開付勢手段３３に蓄積された付勢力により、リッド５が閉位置から開位置に向けて回動する。リッド５が半開ロック開始位置にまで回動すると、弾接部７１の凸部７２がリッド脚部６２の導入面２４に当接する。さらにリッド５を回動させると、図７に示すように、弾接部７１の凸部７２が摺接面２２に弾接し、弾接部７１と摺接面２２とが摩擦係合して、リッド５が半開位置に一時固定される。リッド５をさらに回動させると、側壁２０の後面２１の上端部に設けられている第１開ロック面２５とリッド脚部６２の第２開ロック面６６とが係止し、リッド５が開位置で一時固定される。このように、実施例２の収容装置もまた、実施例１の収容装置と同様に、半開位置で無段階的に一時固定される。
【００３５】
実施例２の収容装置におけるリッド脚部６２は、実施例１と同様にＦＲＰ製であり、剛性に優れる。このため、実施例２の収容装置における摺接面２２は耐久性に優れ、実施例２の収容装置もまた耐久性に優れる。
【産業上の利用可能性】
【００３６】
本発明の収容装置は、車両用のコンソールボックスや小物入れなど、狭い空間に配設される収容装置として特に好ましく利用できる。
【符号の説明】
【００３７】
１：収容体                ５：リッド            ２２：摺接面
３１：リッドの回動軸      ６２：リッド脚部      ６５：リッド本体部
７１：弾接部
【図１】
0005890185.tif 000002
【図２】
0005890185.tif 000003
【図３】
0005890185.tif 000004
【図４】
0005890185.tif 000005
【図５】
0005890185.tif 000006
【図６】
0005890185.tif 000007
【図７】
0005890185.tif 000008
【図８】
0005890185.tif 000009